(57)【要約】【課題】虚像を利用して意匠上の見栄えを良くした車両用照射装置を提供する。【解決手段】車両用照明装置は、ハウジング１、ハウジング１の内面に設けられたミラー２、ハウジング１の上部に設けられた光源部３、ミラー２に対向したハーフミラー４よりなる。光源部３は遮光性のケース３１、一端に発光ダイオード素子が設けられたケース３１内のポリカーボネート樹脂等よりなる導光棒３２、ケース３１のハーフミラー４側に設けられた乳白色レンズ３３、及びケース３１のミラー２側に設けられた青色レンズ３３'よりなる。導光棒３２からの光は乳白色レンズ３３によってハーフミラー４の反射面に対してやや斜め下方へ出射するようにされ、また、導光棒３２からの光は青色レンズ３３'によってミラー２の反斜面に対してやや斜め下方へ出射するようにされている。【選択図】  図１
2018181788.tif 000002
【特許請求の範囲】
【請求項１】
ハウジングと、
前記ハウジングの内面に設けられたミラーと、
前記ハウジング内の上部又は下部に設けられた光源部と、
前記ハウジングの前記ミラーに対向して設けられたハーフミラーと
を具備し、
前記光源部は、
遮光性のケースと、
前記ケース内に設けられた発光素子又は導光棒と、
前記ケースに設けられ、前記発光素子又は導光棒からの第１の光を前記ハーフミラーの反射面へ斜めに出射するための第１のレンズと、
前記ケースに設けられ、前記発光素子又は導光棒からの第２の光を前記ミラーの反射面へ斜めに出射するための第２のレンズと
を具備する車両用照射装置。  
【請求項２】
前記第１、第２のレンズの少なくとも１つは色付きである請求項１に記載の車両用照射装置。
【請求項３】
前記第１、第２のレンズの少なくとも１つはシェード形状である請求項１に記載の車両用照射装置。
【請求項４】
前記光源部は、前記第１のレンズを介した光による前記ハーフミラーにおける複数の像と前記第２のレンズを介した光による前記ハーフミラーにおける複数の像とが交互となるように、構成される請求項１に記載の車両用照射装置。
【発明の詳細な説明】
【技術分野】
【０００１】
本発明は虚像を利用して意匠上の見栄えを良くした車両用照明装置に関する。
【背景技術】
【０００２】
たとえば、フロントアクセサリランプ、テールランプ、テール／ストップランプ、フォグランプ等の車両用照明装置として、意匠上の見栄えを良くし、高級感を得るものがある。
【０００３】
この種の従来の車両用照明装置は、ミラーと、ミラー上に設けられた光源部と、ミラーに対向して設けられたハーフミラーとを備える。この場合、光源部から発生された光の一部はハーフミラーを透過して実像を形成し、他の一部はハーフミラーを反射した後にミラーで反射されてハーフミラーを透過することを繰り返して複数の虚像を形成する。従って、ハーフミラー上に奥行感がある複数の像を映し出すことにより意匠上の美感（見栄え）を生ずる（参照：特許文献１の図１〜図６）。
【先行技術文献】
【特許文献】
【０００４】
【特許文献１】特開２００５−１４２１３２号公報
【発明の概要】
【発明が解決しようとする課題】
【０００５】
しかしながら、上述の従来の車両用照明装置においては、ハーフミラーに映し出される像の密度が小さく、従って、意匠上の見栄えが不充分であり、この結果、高級感が得られないという課題がある。
【０００６】
図５は比較例としての車両用照明装置を示す断面図である。以下に、図５を用いて従来の車両用照明装置の課題を説明する。
【０００７】
図５において、１はハウジング、２はハウジング１の内面に設けられたミラー、３はハウジング１の上部に設けられた光源部、４はミラー２に対向したハーフミラーである。この場合、ミラー２の反射面はハーフミラー４の反射面に対向している。ハーフミラー４はアウタレンズ５の内面に金属蒸着され、前方透過および後方反射する。
【０００８】
光源部３は遮光性のケース３１、一端に発光ダイオード素子が設けられたケース３１内のポリカーボネート樹脂等よりなる導光棒３２、及びケース３１のハーフミラー４側に設けられた乳白色レンズ３３よりなる。この場合、導光棒３２からの光は乳白色レンズ３３によってハーフミラー４の反射面に対してやや斜め下方へ出射するようにされている。
【０００９】
導光棒３２からの光は乳白色レンズ３３を介して出射してハーフミラー４を透過し、その透過光Ｌ１は光源部３の導光棒３２の図６に示す実像Ｉ１を形成する。さらに、ハーフミラー４を反射した後にミラー２で反射してハーフミラー４を透過し、その透過光Ｌ２、Ｌ３、Ｌ４、…は光源部３の導光棒３２の図６に示す虚像Ｉ２、Ｉ３，Ｉ４、…を形成する。この場合、光Ｌ１、Ｌ２、Ｌ３、Ｌ４、…の光路長はこの順序で次第に長くなるので、光Ｌ１、Ｌ２、Ｌ３、Ｌ４、…の図６の像Ｉ１、Ｉ２、Ｉ３，Ｉ４、…は導光棒３２の相似形で次第に小さくなり、奥行感が得られる。この結果、図６に示すように、ハーフミラー４上に導光棒３２と相似形の像Ｉ１、Ｉ２、Ｉ３，Ｉ４、…が映し出され、これにより、意匠上の見栄えを向上させることができる。
【００１０】
しかしながら、図５に示す比較例としての車両用照明装置においては、図６に示すように、像Ｉ１、Ｉ２，Ｉ３、Ｉ４、…の密度が小さいので、意匠上の見栄えが不充分であり、この結果、高級感が得られないという課題がある。
【課題を解決するための手段】
【００１１】
上述の課題を解決するために、本発明に係る車両用照明装置は、ハウジングと、ハウジングの内面に設けられたミラーと、ハウジング内の上部又は下部に設けられた光源部と、ハウジングのミラーに対向して設けられたハーフミラーとを具備し、光源部は、遮光性のケースと、ケース内に設けられた発光素子又は導光棒と、ケースに設けられ、発光素子又は導光棒からの第１の光をハーフミラーの反射面へ斜めに出射するための第１のレンズと、ケースに設けられ、発光素子又は導光棒からの第２の光をミラーの反射面へ斜めに出射するための第２のレンズとを具備するものである。  
【発明の効果】
【００１２】
本発明によれば、第１のレンズによる像及び第１のレンズによる像によりなる像の密度が倍増するので、意匠上の見栄えが十分となり、この結果、高級感を得ることができる。
【図面の簡単な説明】
【００１３】
【図１】本発明に係る車両用照明装置の第１の実施の形態を示す断面図である。
【図２】図１の車両用照明装置によって得られる実像、虚像を示す図である。
【図３】本発明に係る車両用照明装置の第２の実施の形態を示す断面図である。
【図４】図３の車両用照明装置によって得られる実像、虚像を示す図である。
【図５】従来の車両用照明装置を示す断面図である。
【図６】図５の車両用照明装置によって得られる実像、虚像を示す図である。
【発明を実施するための形態】
【００１４】
図１は本発明に係る車両用照明装置の第１の実施の形態を示す断面図である。
【００１５】
図１においては、光源部３において、ケース３１のミラー２側に青色レンズ３３'を付加する。この場合、導光棒３２からの光は青色レンズ３３'によってミラー２の反射面に対してやや斜め下方へ出射するようにされている。
【００１６】
導光棒３２からの光は青色レンズ３３'を介して出射してミラー２によって反射されてハーフミラー４を透過した光Ｌ１'は光源部３の導光棒３２の図２に示す虚像Ｉ１'を形成する。さらに、ハーフミラー４を反射した後にミラー２で反射してハーフミラー４を透過した光Ｌ２'、Ｌ３'、Ｌ４'、…は光源部３の導光棒３２の図２に示す虚像Ｉ２'、Ｉ３'，Ｉ４'、…を形成する。この場合、光Ｌ１'、Ｌ２'、Ｌ３'、Ｌ４'、…の光路長はこの順序で次第に長くなるので、光Ｌ１'、Ｌ２'、Ｌ３'、Ｌ４'、…の図２の像Ｉ１'、Ｉ２'、Ｉ３'，Ｉ４'、…は導光棒３２の相似形で次第に小さくなり、奥行感が得られる。この場合、乳白色レンズ３３及び青色レンズ３３'は、像Ｉ１、Ｉ２、Ｉ３，Ｉ４、…と像Ｉ１'、Ｉ２'、Ｉ３'，Ｉ４'、…とが交互になるように、配置される。この結果、ハーフミラー４上に導光棒３２と相似形の像Ｉ１、Ｉ１'、Ｉ２、Ｉ２'、Ｉ３，Ｉ３'、Ｉ４、Ｉ４'、…が映し出され、像の密度が倍増する。これにより、意匠上の見栄えをさらに向上させることができる。
【００１７】
このように、図１の車両用照明装置によれば、ハーフミラー４上に図６の場合の２倍の像が映し出され、これにより、意匠上の見栄えを向上させることができる。
【００１８】
尚、図１においては、乳白色レンズ３３、青色レンズ３３'は同一色レンズの場合に比較して意匠上の見栄えが向上するが、同一色レンズとしてもよい。
【００１９】
図３は本発明に係る車両用照明装置の第２の実施の形態を示す断面図である。
【００２０】
図３においては、図１の青色レンズ３３'を丸状のシェード形状の青色レンズ３３”に代える。この結果、図４に示すごとく、像Ｉ１、Ｉ２、Ｉ３，Ｉ４、…の間に、シェード形状の青色レンズ３３”からの光でハーフミラー４を透過した光Ｌ１”、Ｌ２”、Ｌ３”，Ｌ４”、…による複数の円形よりなるシェード形状の像Ｉ１”、Ｉ２”、Ｉ３”，Ｉ４”、…が形成され、意匠上の見栄えがさらに向上する。
【００２１】
尚、図３においては、乳白色レンズ３３、青色レンズ３３”は同一色レンズとしてもよい。また、レンズ３３、３３”の両方をシェード形状としてもよい。
【００２２】
また、上述の実施の形態では、導光棒３２は円形断面を有しているが、その他の断面たとえば楕円断面でもよい。また、導光棒３２の代りに、複数の発光素子をケース３１内に直接配置してもよい。この場合、発光素子はＬＥＤ素子又はレーザダイオード（ＬＤ）素子である。さらに、光源部３はハウジング１の下部に設けてもよい。この場合、導光棒３２からの光は乳白色レンズ３３によってハーフミラー４の反射面に対してやや斜め上方へ出射するようにされ、また、導光棒３２からの光は青色レンズ３３'、３３”によってミラー２の反射面に対してやや斜め上方へ出射するようにされている。
【００２３】
さらに、本発明は上述の実施の形態の自明の範囲のいかなる変更にも適用し得る。
【符号の説明】
【００２４】
１：ハウジング
２：ミラー
３：光源部
４：ハーフミラー
５：アウタレンズ
Ｉ１：実像
Ｉ２、Ｉ３，Ｉ４、…、Ｉ１’、Ｉ２’、Ｉ３’，Ｉ４’、…、Ｉ１”、Ｉ２”、Ｉ３”，Ｉ４”、…：虚像
３１：ケース
３２：導光棒
３３：乳白色レンズ
３３’：青色レンズ
３３”：シェード形状青色レンズ
【図１】
2018181788.tif 000003
【図２】
2018181788.tif 000004
【図３】
2018181788.tif 000005
【図４】
2018181788.tif 000006
【図５】
2018181788.tif 000007
【図６】
2018181788.tif 000008